(57)【要約】  【課題】  一側の吸込口から吸い込み他側の吹出口から送出して縦長状に設置できるようにし、且つ左右に移動可能な可動パネルを備え、且つ可動パネルを移動することで吹出口に連続するガイドを構成して送風効率を高めるようにした床置き式または壁掛け式の空気調和機を提供する。  【解決手段】  一側１に吸込口２を備え、他側３に吹出口４を備え、これら吸込口２と吹出口４とを結ぶ空気通路に熱交換器５と送風ファン６とを備えると共に、前部にスライド可能な可動パネル８を装着し、同可動パネル８は、前記吹出口４に連続することにより側方吹出時または前方吹出時に吹出空気を導くガイドを構成するようにした。【選択図】  図１
2005283068.tif 000002
【特許請求の範囲】
【請求項１】
一側に吸込口を備え、他側に吹出口および風向板を備え、これら吸込口と吹出口とを結ぶ空気通路にドレンパンを備えた熱交換器と送風ファンとを備えると共に、前部に可動パネルを装着してなり、
側方吹出時または前方吹出時に、前記可動パネルが前記吹出口に連続することにより吹出空気を導くガイドを構成してなることを特徴とする空気調和機。
【請求項２】
前記ドレンパンを、前記熱交換器の上下部に備えてなることを特徴とする請求項１に記載の空気調和機。
【請求項３】
前記可動パネルに、同可動パネルを左右にスライドさせるパネル駆動装置が連係されてなることを特徴とする請求項１に記載の空気調和機。
【請求項４】
前記可動パネルが、左右方向に湾曲または折曲されることにより凹面状に形成されてなることを特徴とする請求項１または請求項３に記載の空気調和機。
【発明の詳細な説明】
【技術分野】
【０００１】
本発明は、床置き式または壁掛け式の空気調和機に係わり、より詳細には、一側に設けた吸込口から室内空気を吸い込み他側に設けた吹出口から吹出空気を送出して縦長状に設置できるようにし、且つ左右にスライド可能な可動パネルを備えて壁面から突出したことによる視覚的な圧迫感を和らげるようにし、且つ可動パネルをスライドさせることにより吹出口に連続するガイドを構成して送風効率を高めるようにしたものに関する。
【背景技術】
【０００２】
従来の壁掛け式の空気調和機には、暖気あるいは冷気を被空調室内にむらなく、すみずみまで到達させることができるものとして、特許文献１の図１および図８で示すように、空気調和機本体の前面部および上面部に吸込口を備え、下部に吹出口を備えると共に、これら吸込口と吹出口とを結ぶ空気通路に熱交換器および送風ファンを設けた構成でなり、被空調室の壁面の上位部であって天井面の近傍に壁掛け設置されるようになっていた（例えば、特許文献１参照。）。
【０００３】
上記構成でなる空気調和機が、図５（Ａ）および図５（Ｂ）で示すように、被空調室の壁面Ａの上位部であって天井面Ｂの近傍に壁掛け設置された際、前面部（および上面部ａ）の吸込口２の桟および吹出口４が常に外観に現れているということもあって、空気調和機全体が前記壁面Ａから前方に突出していることによる視覚的な圧迫感があった。
【０００４】
また、前記上面部ａの吸込口２を前記天井面Ｂに近接させて壁掛け設置した場合には、図５（Ｂ）で示すように前記上面部ａと前記天井面Ｂとの間が狭くなって、前記上面部ａの吸込口２からは室内空気を効率よく吸い込むことができにくいという問題点があった。
【０００５】
上記構成により、運転停止時には、図６（Ａ）で示すように前記吹出口４が上下風向板10および11によって閉塞されているが、例えば冷房運転による水平吹出時には、図６（Ｂ）で示すように前記上下風向板10および11が水平位置に回動していることから、熱交換器５で熱交換され送風ファン６で前記吹出口４から送出される吹出冷気の一部が、前記前面部の吸込口２から吸い込まれショートサーキットして熱交換効率が低下してしまうおそれがあり、また暖房運転による垂直吹出時には、図６（Ｃ）で示すように前記上下風向板10および11が垂直位置に回動していることから、熱交換器５で熱交換され送風ファン６で前記吹出口４から送出される吹出暖気が、前記上下風向板10および11により下方に向けて急激に風向偏向されるため、該箇所における送風効率が低下してしまうという問題点を有していた。
【０００６】
または、床面上のコーナ部に据付設置できるものとして、室内側熱交換器と室外側熱交換器を前面側に配設し、室内側吹出空気を前方に吹き出させ、室外側吹出空気を背面上方に吹き出させる構造とし、且つ空気調和機本体の平面形状を扇形状にしたものが開示されていた（例えば、特許文献２参照。）。
【０００７】
しかしながら、床面上のコーナ部を利用して比較的小さな部屋などに容易に据付設置できる反面、特許文献１の場合と同様に、吸込口の桟および吹出口が常に現れていることから可動パネルが前記壁面から前方に突出しているといった視覚的な圧迫感があり、ショートサーキットしたり、また、一体形空気調和機であって室外側吹出空気を背面上方に吹き出させる構成であるため、効果的な空気調和を実現できにくいという問題点を有していた。
【０００８】
また、被空調室の壁面の形体によっては、特許文献１のように空気調和機本体を横長状に壁掛け設置できない場合があり、例えば意匠文献１で示すように、縦長状に壁掛け設置したいユーザの希望にも対応できるようにすると共に、スライドさせた可動パネルが吹出口に連続するガイドを構成して送風効率を高め、効果的に風向を偏向できるようにすることが望まれていた（例えば、特許文献３参照）。
【特許文献１】特開２００３−６５５９１号公報（第１頁〜第４頁、第１図〜第８図）
【特許文献２】特開２００２−２２８１８６号公報（第１頁〜第４頁、第１図〜第２図）
【特許文献３】登録意匠番号−９７１５７７号公報
【発明の開示】
【発明が解決しようとする課題】
【０００９】
本発明は上記の問題点に鑑み、一側に設けた吸込口から室内空気を吸い込み他側に設けた吹出口から吹出空気を送出して縦長状に設置できるようにし、且つ左右にスライド可能な可動パネルを備えて壁面から突出したことによる視覚的な圧迫感を和らげるようにし、且つ可動パネルをスライドさせることにより吹出口に連続するガイドを構成して送風効率を高めるようにした床置き式または壁掛け式の空気調和機を提供することを目的とする。
【課題を解決するための手段】
【００１０】
本発明は、上記課題を解決するため、一側に吸込口を備え、他側に吹出口および風向板を備え、これら吸込口と吹出口とを結ぶ空気通路にドレンパンを備えた熱交換器と送風ファンとを備えると共に、前部に可動パネルを装着してなり、
側方吹出時または前方吹出時に、前記可動パネルが前記吹出口に連続することにより吹出空気を導くガイドを構成している。
【００１１】
また、前記ドレンパンを、前記熱交換器の上下部に備えてなる構成となっている。
【００１２】
また、前記可動パネルに、同可動パネルを左右にスライドさせるパネル駆動装置が連係されてなる構成となっている。
【００１３】
更に、前記可動パネルが、左右方向に湾曲または折曲されることにより凹面状に形成されてなる構成となっている。
【発明の効果】
【００１４】
本発明によれば、左右にスライド可能な可動パネルを備えて、吸込口および吹出口が常に外観に現れるということがなくなることで、視覚的な圧迫感を和らげて被空調室のインテリアに調和しやすくなると共に、空気調和機本体の一側に設けた吸込口から室内空気を効率よく吸い込めるようにし、且つスライドすることで可動パネルが吹出口に連続するガイドを構成したことにより、縦長状に設置できるようにし吹出口からの吹出空気は風向調節範囲を拡大させて遠方への送風を充分に行えるようになる。
【００１５】
また、被空調室の壁面の形体により横長状に設置できない場合であっても、縦長状に設置できるようになるためユーザのニーズに対応しやすくした床置き式または壁掛け式の空気調和となる。
【発明を実施するための最良の形態】
【００１６】
以下、本発明の実施の形態を、添付図面に基づいた実施例として詳細に説明する。
図１は本発明による空気調和機の基本構成を示す説明図で、（Ａ）は正面図、（Ｂ）は左側面図、（Ｃ）は右側面図、（Ｄ）は横断面図、（Ｅ）は底面図であり、図２は本発明による空気調和機の実施例１による運転状態を示す断面図で、（Ａ）は運転停止状態を、（Ｂ）は前方に向けて送風する直接送風の状態を、（Ｃ）は横方向に向けて送風する間接送風の状態を夫々示し、図３は実施例２による運転状態を示す説明図で、（Ａ）は二台を向き合わせて設置した状態を示す断面図、（Ｂ）は図１（Ｄ）で示すＡ−Ａ断面図、（Ｃ）は一台を被空調室の一側壁に設置した状態を示す斜視図、（Ｄ）は一台を被空調室の他側壁に設置した状態を示す斜視図であり、図４は据付状態を示す斜視図で、（Ａ）は壁掛け式の据付状態を、（Ｂ）は床置き式の据付状態を夫々示す。
【００１７】
本発明による床置き式または壁掛け式の空気調和機は、図１（Ａ）乃至図１（Ｅ）で示すように、縦長状の本体の一側１には吸込口２を、他側３には水平方向の風向を偏向する第一の風向板10および上下方向の風向を偏向する第二の風向板13を回動自在に軸支した吹出口４を夫々備え、これら吸込口２と吹出口４とを結ぶ空気通路に、熱交換器５と図３（Ｂ）で示すファンモータ6aに連結された送風ファン６とを備えると共に、前部には可動パネル８を左右にスライド可能に装着して、図４（Ａ）および図４（Ｂ）で示すように被空調室の床面Ｃ上に据付設置され、もしくは天井面Ｂ近傍の壁面Ａに壁掛けにより据付設置されてなる構成になっている。
【００１８】
上記構成により、前記吸込口２から吸い込まれ前記熱交換器５で熱交換された空気が前記送風ファン６によって前記吹出口４に送出され、同吹出口４に軸支された前記第一の風向板10および前記第二の風向板13により、水平方向および上下方向に風向偏向されて被空調室内に吹き出されるようになっている。
【００１９】
前記可動パネル８は、その一端部8aおよび対端部8bが、前記吸込口２および前記吹出口４を隠蔽して本体の一側１および他側３の外側に夫々突出するように構成されており、これによって、図１（Ａ）で示すように、前記可動パネル８によって空気調和機本体がカバーされるようになり、前記吸込口２および前記吹出口４が隠蔽された状態になっている。
【００２０】
また、前記可動パネル８は、左右方向に湾曲または折曲されることにより、その一端部8aおよび対端部8bを前方に突出させた状態で凹面状に形成されてなる構成となっており、これによって、空気調和機本体が被空調室の壁面Ａから突出しているといった視覚的な圧迫感を更に効果的に和らげることができるようになって、被空調室のインテリアに調和しやすいという効果を奏することになる。
【００２１】
そして、前記可動パネル８には、同可動パネル８を左右にスライドさせる駆動モータや連係歯車などの連係部からなるパネル駆動装置９が連係されており、同パネル駆動装置９によって、運転停止時や、冷暖房運転などの運転状態に応じて、前記吸込口２および前記吹出口４を遮蔽する位置に停止させたり、左右方向にスライドさせるようにした構成になっている。
【実施例１】
【００２２】
ここで、実施例１として示した図２（Ａ）乃至図２（Ｃ）に基づいて、前記可動パネル８を左右方向にスライドさせることにより、前記熱交換器５で熱交換された空気を前記吹出口４から吹き出して、被空調室内の快適な空気調和を実現できるようにした動作について説明する。
【００２３】
運転停止時には、図２（Ａ）で示すように、前記風向板10によって前記吹出口４を閉塞すると共に、前記可動パネル８を左右にスライドさせることなく、その一端部8aおよび対端部8bが、前記吸込口２および前記吹出口４を隠蔽して本体の一側１および他側３の外側に夫々突出するようになっている。
【００２４】
これによって、空気調和機本体の視覚的な圧迫感を効果的に和らげることができるようになり、また、ユーザの好みや被空調室のインテリアにも対応しやすくなって、意匠性に独自の特徴をもたせた高品位な空気調和機を提供できる。
【００２５】
吹出空気を前方に向けて吹き出すようにした直接風による冷暖房運転時には、図２（Ｂ）の矢印で示すように、前記可動パネル８を前記吸込口２側にスライドさせると共に、前記風向板10を、前記吹出口４からの吹出空気が前方に向かうように風向偏向できる位置まで支軸部10a を中心に回動する。
【００２６】
これによって、前記吸込口２から吸い込まれ前記熱交換器５によって熱交換された空気が、前記送風ファン６によって前記吹出口４に送出され、前記第一の風向板10によって前方に向けて吹き出されると共に、前記第二の風向板13で上下方向の風向が偏向されることになり、被空調室内のユーザに直接風を向けるようにした状態で空気調和を行えるようになる。
【００２７】
その際、空気調和機本体および前記吹出口４が縦長状に構成されていることから、とくに上下方向の広範囲にわたって吹出空気を吹き出せるようになっているので、より効果的な空気調和を実現できる。
【００２８】
また、図２（Ｂ）の矢印ａで示す吹出空気の一部は、前記可動パネル８の表面に沿って吹き出されることになるが、同可動パネル８の一端部8aが前記吸込口２の側部に大きく突出していることから、該箇所において所謂ショートサーキットの現象が起こらないようになる。
【００２９】
また、前記可動パネル８が、左右方向に湾曲または折曲されることにより凹面状に形成され、その一端部8aおよび対端部8bを前方に突出させた状態で構成されており、前記吸込口２側に突出した前記一端部8aが前方に位置することになって、同吸込口２に到る通風路を大きく確保できて室内空気を吸い込みやすくなる。
【００３０】
なお、前記第一の風向板10を前記パネル駆動装置９によって回動する際、例えば所定の角度で往復的に連続回動させるようにして、風向偏向の範囲を拡げたり変化をもたせるようにすることで更に快適な空気調和を実現できるようにしてもよい。
【００３１】
吹出空気を横方向に吹き出すようにした間接風による冷暖房運転時には、図２（Ｃ）の矢印で示すように、前記可動パネル８を前記吹出口４側にスライドさせると共に、前記第一の風向板10を、前記吹出口４からの吹出空気が横方向に向かうように風向偏向できる位置まで支軸部10a を中心に回動する。
【００３２】
これによって、前記吸込口２から吸い込まれ前記熱交換器５によって熱交換された空気が、前記送風ファン６によって前記吹出口４に送出され、前記第一の風向板10によって横方向に吹き出されることになり、被空調室内のユーザに直接風を向けることなく間接風によってゆるやかで快適な空気調和を行えるようになる。
【００３３】
また、矢印ｂで示す吹出空気は、前記第一の風向板10と前記可動パネル８の他端部8bとによって導かれることになり、これら第一の風向板10および可動パネル８の他端部8bによって、実質的に前記吹出口４を延長させたのと同等の機能を有するガイドを構成できて送風効率を向上させることができる。
【００３４】
その際、前記可動パネル８が、左右方向に湾曲または折曲されることにより凹面状に形成されているため、吹出空気を空気調和機本体の横方向のやや前方に向けて吹き出すことができるので、側方（真横）に向けて吹き出す場合に比べて快適な空気調和を実現する上で有利である。
【実施例２】
【００３５】
次に、実施例２として示した図３（Ａ）乃至図３（Ｄ）に基づいて、空気調和機本体の上下を反転させた状態で据付設置できるようにして、更に快適な空気調和を実現できるようにするための構成およびその動作について説明する。
【００３６】
前記熱交換器５から滴下する凝縮水を受けるドレンパン12が、図３（Ｂ）で示すように、空気調和機本体の上下を反転させた場合でも受けることができるよう前記熱交換器５の上下部に設けられた構成にする。
【００３７】
これによって、例えば比較的に面積が大きい被空調室を快適に空気調和したい場合、図３（Ａ）で示すように、一方の空気調和機本体の上下を反転させた状態にして、二台の空気調和機本体を向き合せるように据付設置し、前記可動パネル８を向かい合うようにスライドさせて、矢印ｂで示すように、吹出空気を向かい合う横方向に吹き出すことによって上述した間接風による快適な空気調和を実現できる。
【００３８】
または、図３（Ｃ）および図３（Ｄ）で示すように、被空調室の一側寄り壁面に据付設置したり、他側寄り壁面に据付設置することができるようになる。
【００３９】
すなわち、実施例２として図３（Ａ）乃至図３（Ｄ）で示すように、前記ドレンパン12を前記熱交換器５の上下部に設けることにより空気調和機本体の上下を反転可能にしたことで、被空調室の壁面が空気調和機本体を横長状に据付設置できない形体になっていたり、また、一側寄りの壁面もしくは他側寄りの壁面の何れかに限定して据付設置する必要があるような場合に有効な構成になる。
【図面の簡単な説明】
【００４０】
【図１】本発明による空気調和機の基本構成を示す説明図で、（Ａ）は正面図、（Ｂ）は左側面図、（Ｃ）は右側面図、（Ｄ）は横断面図であり、（Ｅ）は底面図である。
【図２】本発明による空気調和機の実施例１による運転状態を示す断面図で、（Ａ）は運転停止状態を、（Ｂ）は前方に向けて送風する直接送風の状態を、（Ｃ）は横方向に向けて送風する間接送風の状態を夫々示す。
【図３】実施例２による運転状態を示す説明図で、（Ａ）は二台を向き合わせて設置した状態を示す断面図であり、（Ｂ）は図１（Ｄ）で示すＡ−Ａ断面図であり、（Ｃ）は一台を被空調室の一側壁に設置した状態を示す斜視図であり、（Ｄ）は一台を被空調室の他側壁に設置した状態を示す斜視図である。
【図４】据付状態を示す斜視図で、（Ａ）は壁掛け式の据付状態を、（Ｂ）は床置き式の据付状態を夫々示す。
【図５】従来例による空気調和機の説明図で、（Ａ）は被空調室で前方から見た正面図であり、（Ｂ）は側面図である。
【図６】従来例による空気調和機の説明図で、（Ａ）は運転停止時の断面図、（Ｂ）は冷房運転による水平吹出時の断面図であり、（Ｃ）は暖房運転による垂直吹出時の断面図である。
【符号の説明】
【００４１】
Ａ  壁面
Ｂ  天井面
Ｃ  床面
１  一側
２  吸込口
３  他側
４  吹出口
５  熱交換器
６  送風ファン
6a  ファンモータ
７  前部
８  可動パネル
8a  一端部
8b  他端部
９  パネル駆動装置
10  第一の風向板
10a 支軸
12  ドレンパン
13  第二の風向板
【図１】
2005283068.tif 000003
【図２】
2005283068.tif 000004
【図３】
2005283068.tif 000005
【図４】
2005283068.tif 000006
【図５】
2005283068.tif 000007
【図６】
2005283068.tif 000008
【手続補正書】
【提出日】平成16年3月31日(2004.3.31)
【手続補正１】
【補正対象書類名】図面
【補正対象項目名】図３
【補正方法】変更
【補正の内容】
【図３】
2005283068.tif 000009